(57)【要約】      （修正有）【課題】大口径送水ホースを使用する大容量泡放水消火システムにおけるホース装着作業を容易にして、消火作業を効率化する泡剤混合装置を提供する。【解決手段】口径２００ｍｍ以上の大口径の送水ホース１５を使用する大容量泡放水消火システムに使用される泡剤混合装置２０である。泡剤混合装置２０は、装置本体２１を搬送用車両２２に着脱自在にし、かつ地上に揚げ降ろし可能に構成されている。装置本体２１には泡剤供給ポンプ２６と混合導管２５とを設け、混合導管２５の前後端にそれぞれ送水ホース１５の装着金具２５ａを設けると共に、中間部に泡剤供給ポンプ２６に連通する泡剤の注入口２７を設けている。【選択図】図２
2008093199.tif 000002
【特許請求の範囲】
【請求項１】
口径２００ｍｍ以上の大口径の送水ホースを使用する大容量泡放水消火システムに使用される搬送用車両に搭載の泡剤混合装置であって、装置本体に泡剤供給ポンプと少なくとも１本の混合導管とを設け、該混合導管の前後端にそれぞれ前記送水ホース連結用の装着金具を設けると共に、中間部に前記泡剤供給ポンプから供給される泡剤の注入口を設け、かつ該装置本体を前記搬送用車両に着脱自在、かつ地上に揚げ降ろし可能にした大容量泡放水消火システムの泡剤混合装置。
【請求項２】
前記搬送用車両に前記装置本体を揚げ降ろしするクレーンを搭載した請求項１に記載の大容量泡放水消火システムの泡剤混合装置。
【請求項３】
前記泡剤供給ポンプに油圧モータを連結すると共に、前記搬送用車両に設けたＰＴＯ軸に油圧ポンプを連結し、該油圧ポンプにより前記油圧モータを駆動するようにした該請求項１又は２に記載の大容量泡放水消火システムの泡剤混合装置。
【請求項４】
前記混合導管と泡剤注入口に対する供給管とにそれぞれ流量計を設け、これら流量計の検知信号に基づき前記泡剤注入口に対する泡剤供給量が予め設定された混合比になるように調整する自動制御部を設けた請求項１、２又は３に記載の大容量泡放水消火システムの泡剤混合装置。
【発明の詳細な説明】
【技術分野】
【０００１】
本発明は大容量泡放水消火システムの泡剤混合装置に関し、さらに詳しくは、口径２００ｍｍ以上の大口径送水ホースを使用する大容量泡放水消火システムにおけるホース装着作業を容易にし、消火作業を効率化する泡剤混合装置に関する。
【背景技術】
【０００２】
最近の石油コンビナートで発生した油貯蔵タンクの火災を契機にして、石油コンビナート等災害防止法施行令が改正された。改正前の消火設備には、図５に一例を示すように、毎分３０００リットルの放水能力をもつ大型高所放水車５１と大型化学車５２と泡原液搬送車５３とで構成された、いわゆる３点セットが使用されていた（特許文献１等参照）。この３点セットの消火設備による消火作業は、大型化学車５２に対して消火栓５４から消火水を供給すると共に、泡原液搬送車５３から泡剤を供給することにより、大型化学車５２で消火水に泡剤を混合した泡混合水を生成し、この泡混合水を大型高所放水車５１に供給して、大型高所放水車５１から火源に向け放水するというものであった。
【０００３】
しかし、最近の石油コンビナートで発生した油貯蔵タンク火災では、上記３点セットの消火設備は油貯蔵タンク火災の消火に十分に機能することができなかった。そのため石油コンビナート等災害防止法施行令が、油貯蔵タンク等を備えた特定事業所の自衛防災組織の機能強化のために改正され、消火設備として毎分１万リットル以上の放水能力をもつ泡放水砲を備えることが義務づけられた。改正前の泡放水砲の放水能力は毎分３０００リットル以上であったので、約３倍以上に放水能力を強化するものであった。
【０００４】
このように泡放水砲の放水能力が大容量に規定された結果、従来の消火栓設備では放水量を確保できなくなる場合があり、水源として海などの自然水を利用しなければならない場合が生ずるようになった。そのため、自然水を大量に取水するための送水ホースとして口径２００ｍｍ以上乃至２５０ｍｍ以上の大口径ホースを使用し、これらを長距離に連結して敷設することが必要になってきた。
【０００５】
しかし、口径が２００ｍｍ以上もの大口径ホースになると、連結金具も大口径化するため金具付きのホース全体の重量が増大することになる。そのため、消火作業において操作員が大重量の連結金具が付いた送水ホースを大型化学車のホース装着金具の高さまで持ち上げ、それを装着金具に装着する作業が著しく厳しい重労働にならざるを得なくなる。この重労働化の結果として、消火前の放水準備作業が著しく遅滞し、消火活動が非効率化することが考えられる。
【０００６】
また、他の問題として、大口径送水ホースにより大型化学車に大量送水される消火水に対し、泡剤を所望とする混合比になるように混合する適切量を安定して供給する作業も非常に難しくなることが考えられる。
【特許文献１】特開平１１−１３７７０９号公報
【発明の開示】
【発明が解決しようとする課題】
【０００７】
本発明の主たる目的は、大口径送水ホースを使用する大容量泡放水消火システムにおけるホース装着作業を容易にし、消火作業を効率化するようにした泡剤混合装置を提供することにある。
【０００８】
本発明の他の目的は、大口径送水ホースで大量送水するようにしても、泡剤を適量に安定に混合可能にする大容量泡放水消火システムの泡剤混合装置を提供することにある。
【課題を解決するための手段】
【０００９】
上記の主目的を達成する本発明の大容量泡放水消火システムの泡剤混合装置は、口径２００ｍｍ以上の大口径の送水ホースを使用する大容量泡放水消火システムに使用される搬送用車両に搭載の泡剤混合装置であって、装置本体に泡剤供給ポンプと少なくとも１本の混合導管とを設け、該混合導管の前後端にそれぞれ前記送水ホース連結用の装着金具を設けると共に、中間部に前記泡剤供給ポンプから供給される泡剤の注入口を設け、かつ該装置本体を前記搬送用車両に着脱自在、かつ地上に揚げ降ろし可能にしたことを特徴とするものである。
【００１０】
上記泡剤混合装置は、好ましくは、前記搬送用車両に前記装置本体を揚げ降ろしするクレーンを搭載した構成にするとよい。また、前記泡剤供給ポンプに油圧モータを連結すると共に、前記搬送用車両に設けたＰＴＯ軸に油圧ポンプを連結し、該油圧ポンプにより前記油圧モータを駆動する構成にするのがよい。
【００１１】
また、上述の他の目的を達成するための泡剤混合装置としては、上述の構成において、前記混合導管と泡剤注入口の供給管とにそれぞれ流量計を設け、これら流量計の検知信号により前記泡剤注入口に対する泡剤の供給量を予め設定された混合比になるように調整する自動制御部を設けるようにするとよい。
【発明の効果】
【００１２】
本発明によれば、泡剤混合装置を構成する装置本体を搬送用車両に着脱自在にし、地上に揚げ降ろし可能にした構成になっているので、装置本体を地上に降ろすことにより混合導管に対して送水ホースの連結金具の装着位置を低い位置にすることができるので、大重量の連結金具を付けた２００ｍｍ以上の大口径送水ホースであっても、その送水ホースを混合導管の装着金具に容易に装着することができる。したがって、消火前の放水準備時間を短縮することで、消火作業を効率化することができる。
【発明を実施するための最良の形態】
【００１３】
図１〜図３は大容量泡放水消火システムに使用される本発明の泡剤混合装置の実施形態を例示し、図４は自然水を消火水として採水する場合の大容量泡放水消火システムの一例を例示する。
【００１４】
まず、図４を使用して、大容量泡放水消火システムについて一例を説明する。１０は毎分１万リットル以上の放水能力をもつ泡放水砲１１を装備した放水車、２０は本発明の泡剤混合装置、３０は海Ｓから毎分１万リットル以上の海水を汲み上げて送水するポンプ装置、４０は泡剤タンク４１を搭載した泡剤コンテナである。
【００１５】
本発明の泡剤混合装置２０は、詳細については後述するが、図５に例示した大型化学車に相当するものであって、装置本体２１と搬送用車両２２から構成されている。この泡剤混合装置２０は、ポンプ装置３０から供給された海水等の消火水に対して、泡剤タンク４１から供給された泡剤を混合することにより泡混合水を生成し、その泡混合水を放水車１０に供給する。
【００１６】
ポンプ装置３０は、大型ディーゼルエンジンの駆動装置３１、この駆動装置３１によって駆動される送水ポンプ３４及び油圧ポンプ３２、その油圧ポンプ３２により循環される作動油により毎分１万リットル以上の海水を汲み上げるように駆動される２台の水中ポンプ３３、３３から構成されている。
【００１７】
上記水中ポンプ３３、３３から汲み上げられた海水（消火水）は、それぞれ吸水ホース１６、１６を介して送水ポンプ３４に供給され、この送水ポンプ３４で加圧され、口径２００ｍｍ以上、好ましくは２５０ｍｍ以上、さらに好ましくは３００ｍｍ以上の大口径送水ホース１５、１５を介して泡剤混合装置２０に供給され、ここで泡剤タンク４１から供給された泡剤と混合され泡混合水となって放水車１０に供給され、最後に放水車１０の泡放水砲１１から火災源Ｆに向けて放水される。
【００１８】
ポンプ装置３０及び泡剤コンテナ４０は、図示していないが、それぞれ搬送用車両により必要な場所に搬送されるようになっている。
【００１９】
図１及び２に示すように、上述のような大容量泡放水消火システムに使用される本発明の泡剤混合装置２０は、搬送用車両２２に対して装置本体２１が着脱自在に搭載され、その装置本体２１が搬送用車両２２に搭載されたクレーン２３によりワイヤ２４を介して吊り上げられ、地上に上げ降ろし可能になっている。
【００２０】
装置本体２１には、泡剤供給ポンプ２６が設けられ、かつ４本の平行に並べられた混合導管２５、・・２５が幅方向に横断するように設置されている。装置本体２１に設けられる混合導管２５の数としては、１本だけであってもよく、図示の例のように複数本であってもよい。それぞれ混合導管２５には、前後両端に送水ホース１５の連結金具を連結するための装着金具２５ａが取り付けられ、かつ中間部の上壁に泡剤の注入口２７が設けられている。注入口２７には導管２７ａを介して泡剤供給ポンプ２６から泡剤が供給されるようになっている。その泡剤供給ポンプ２６には、ホース４２を介して泡剤の供給源である泡剤コンテナ４０の泡剤タンク４１から泡剤が供給されるようになっている。
【００２１】
上記泡剤供給ポンプ２６は、油圧モータ２６ａにより駆動される。また、油圧モータ２６ａは、搬送用車両２２の駆動源（ディーゼルエンジン等）から取り出されたＰＴＯ軸に連結された油圧ポンプ２８から供給チューブ２８ａを介して循環する作動油により駆動されるようになっている。その作動油は、搬送用車両２２上に設けた油クーラ２９に循環して冷却され、オーバヒートを防止するようになっている。
【００２２】
上述した泡剤混合装置２０により火災現場で消火作業を行うときは、泡剤混合装置２０は搬送車両２２によりポンプ装置３０に近い場所か、或いは放水車１０に近い場所に移動させて停車する。その停車位置で送水ホース１５を混合導管２５の装着金具２５ａに連結する前に、クレーン２３を使用して装置本体２１を搬送用車両２２から地上に降ろす。装置本体２１を地上に降ろしたことにより、混合導管２５の装着金具２５ａの高さを地面に近い低い位置に変えるので、送水ホース１５が大重量の連結金具を取り付けた口径２００ｍｍ以上の大口径のものであっても、装着金具２５ａに対して容易に装着することが可能になる。
【００２３】
混合導管２５の前後両端の装着金具２５ａ、２５ａに、それぞれポンプ装置３０から延長する送水ホース１５と放水車１０に延長させる送水ホース１５とを連結し、さらに後者の送水ホース１５を必要本数を連結して放水車１０に連結する。このように送水ホース１５を連結状態にした後、泡剤混合装置２０の混合導管２５にポンプ装置３０から消火水を供給すると共に、泡剤注入口２７に泡剤供給ポンプ２６から泡剤を供給すると、混合導管２５内において泡混合水が連続的に生成され、それが後端側の送水ホース１５を介して放水車１０に供給される。
【００２４】
図３は、上述した泡剤混合装置２０において、ポンプ装置３０から送水された大容量の消火水に予め設定された混合比に泡剤を適正に混合するための制御装置を示す。
【００２５】
図３に示すように、４本設けられた混合導管２５にそれぞれ逆止弁６４と流量計６０が設けられている。また、泡剤注入口２７に連結された導管２７ａからの分枝管６１に、逆止弁６５のほか上流側に絞り弁６２と流量計６３が設けられている。混合導管２５の流量計６０及び分枝管６１の絞り弁６２と流量計６３は、それぞれ電気的に制御盤６６に接続され、さらに４箇所の制御盤６６は主制御操作盤６７に接続されている。
【００２６】
各制御盤６６は、混合導管２５の流量計６０が検出した流量信号と、泡剤注入口２７に設けた流量計６３が検出した流量信号を入力し、両信号から演算れた混合比を予め適正値として設定された混合比と比較し、泡剤注入口２７に注入する泡剤の供給量が適正か否かを算出する。その計算において、泡剤の供給量が適正値の混合比に対して過剰であったり、或いは不足している場合は、その過剰または不足する過不足信号を絞り弁６２の駆動部に出力し、その絞り弁６２の絞りを泡剤注入口２７に注入する泡剤量を適正値の混合比になるように調整する。また、主制御操作盤６７は各制御盤６６からの信号を入力し、それに基づいて泡剤供給ポンプ２６からの泡剤供給量を調整する。
【００２７】
したがって、本発明の泡剤混合装置２０によれば、口径２００ｍｍ以上の大口径送水ホースにより大量送水する場合であっても、泡混合水を常に適正な混合比になるように泡剤の供給量を制御することができる。
【図面の簡単な説明】
【００２８】
【図１】本発明の泡剤混合装置の実施形態を例示する側面図である。
【図２】図１の泡剤混合装置から装置本体を地上に降ろして消火作業する情況を示す平面図である。
【図３】本発明の泡剤混合装置に設けられた制御装置を例示する概略図である。
【図４】本発明の泡剤混合装置が使用される大容量泡放水消火システムの一例を示す説明図である。
【図５】従来の泡放水消火システムの例示する説明図である。
【符号の説明】
【００２９】
１０  放水車
１５  送水ホース
１６  吸水ホース
２０  泡剤混合装置
２１  装置本体
２２  搬送用車両
２３  クレーン
２４  ワイヤ
２５  混合導管
２５ａ  装着金具
２６  泡剤供給ポンプ
２６ａ  油圧モータ
２７  泡剤注入口
２８  油圧ポンプ
３０  ポンプ装置
３１  駆動装置
３２  油圧ポンプ
３３  水中ポンプ
３４  送水ポンプ
６０、６３  流量計
６２  絞り弁
６６  制御盤
６７  主制御操作盤
【図１】
2008093199.tif 000003
【図２】
2008093199.tif 000004
【図３】
2008093199.tif 000005
【図４】
2008093199.tif 000006
【図５】
2008093199.tif 000007